(57)【要約】【課題】  スキャナの特性として主走査方向と副走査方向の解像度が異なるものがある。このスキャナで読み取った画像にエッジ強調を行い、エッジ強調後に解像度が副走査方向と主走査方向で同じになるように解像度変換すると、エッジ強調で発生していたジャギーが拡大され目立つことがある。【解決手段】  画像の主走査方向と副走査方向に対して、エッジ強調量が異なる演算結果となるように画像の特徴量とエッジ強調度を設定する。【選択図】  図９
2008017291.tif 000002
【特許請求の範囲】
【請求項１】
画素の並び方向によって異なるＭＴＦで構成される画像データを補正処理する画像処理装置において、前記異なるＭＴＦに起因する前記画像データの画素の並び方向の特徴量を検知する手段とを備え、画素の並び方向による前記特徴量の違いによって前記補正処理の強度が異なるように設定することを特徴とする画像処理装置。
【請求項２】
前記画像処理装置は前記特徴量を閾値と比較する手段と、前記閾値との比較結果に応じて補正処理の強度を設定する手段とを備え、画素の並び方向による前記特徴量の違いによって前記補正処理の強度が異なるように前記閾値を設定することを特徴とする請求項１に記載の画像処理装置。
【請求項３】
前記閾値は画素の第１の並び方向の特徴量と第２の並び方向の特徴量との間の値であることを特徴とする請求項２に記載の画像処理装置。
【請求項４】
前記閾値は画素の第１の並び方向の特徴量以下の第１閾値と第２の並び方向の特徴量以上の第２閾値であることを特徴とする請求項２に記載の画像処理装置。
【請求項５】
前記補正強度は判定結果によって補正強度が異なることを特徴とする請求項２に記載の画像処理装置。
【請求項６】
前記補正強度は判定結果が同一であっても特徴量によって補正強度を設定することを特徴とする請求項２に記載の画像処理装置。
【請求項７】
前記異なるＭＴＦは読み取り装置特性に起因することを特徴とする請求項１に記載の画像処理装置。
【請求項８】
前記画素の並び方向は原稿を光学的に読み取る際の主走査方向と副走査方向のことであり、前記異なるＭＴＦは原稿を光学的に読み取る際の異なる読み取り解像度に起因することを特徴とする請求項１に記載の画像処理装置。
【請求項９】
前記異なる読み取り解像度は副走査方向解像度が主走査方向解像度よりも高解像度であることを特徴とする請求項８に記載の画像処理装置。
【請求項１０】
前記画素の並び方向は画像データの直交する横方向と縦方向のことであり、前記異なるＭＴＦは異なる画素サンプリングに起因することを特徴とする請求項１に記載の画像処理装置。
【請求項１１】
前記異なる画素サンプリングは縦方向画素サンプリングが横方向画素サンプリングよりも高いことを特徴とする請求項１０に記載の画像処理装置。
【請求項１２】
前記特徴量は処理対象画素の近傍の少なくとも１画素の画素値は使用して算出する処理対象画素に対する変動量であることを特徴とする請求項１に記載の画像処理装置。
【請求項１３】
前記特徴量は処理対象画素に対する複数方向の変動量のうち絶対値が最大の変動量であることを特徴とする請求項１２に記載の画像処理装置。
【請求項１４】
前記補正処理は置換処理、フィルタ処理、無彩色化処理のうち少なくとも１つであることを特徴とする請求項１に記載の画像処理装置。
【請求項１５】
前記算出した変動量が前記異なるＭＴＦによって大である場合は、変動量が前記異なるＭＴＦによって小である場合に比して置換強度を大きく設定することを特徴とする請求項１３と請求項１４に記載の画像処理装置。
【請求項１６】
前記算出した変動量が前記異なるＭＴＦによって大である場合は、変動量が前記異なるＭＴＦによって小である場合に比してフィルタ強度を大きく設定することを特徴とする請求項１３と請求項１４に記載の画像処理装置。
【請求項１７】
前記算出した変動量が前記異なるＭＴＦによって大である場合は、変動量が前記異なるＭＴＦによって小である場合に比して無彩色化強度を大きく設定することを特徴とする請求項１３と請求項１４に記載の画像処理装置。
【請求項１８】
画素の並び方向によって異なる解像度で構成される画像データを補正処理する画像処理方法において、前記異なる解像度に起因する前記画像データの画素の並び方向の特徴量を検知するステップと、前記特徴量を閾値と比較するステップと、前記閾値との比較結果に応じて補正処理の強度を設定するステップとを備え、画素の並び方向による前記特徴量の違いによって前記補正処理の強度が異なるように前記閾値を設定することを特徴とする画像処理方法。
【請求項１９】
画素の並び方向によって異なる解像度で構成される画像データを補正処理する画像処理プログラムであって、画像処理装置が該画像処理プログラムを実行することにより、前記異なる解像度に起因する前記画像データの画素の並び方向の特徴量を検知するステップと、前記特徴量を閾値と比較するステップと、前記閾値との比較結果に応じて補正処理の強度を設定するステップとが実現され、画素の並び方向による前記特徴量の違いによって前記補正処理の強度が異なるように前記閾値を設定することを特徴とする画像処理プログラム。
【請求項２０】
請求項１７に記載の画像処理プログラムをコンピュータが読み取り可能に記憶した記憶媒体。
【発明の詳細な説明】
【技術分野】
【０００１】
本発明は、画像に補正処理を施す画像処理装置、画像処理方法、画像処理プログラム及び記憶媒体に関する。
【背景技術】
【０００２】
原稿画像を光学的に読み取り、読み取った画像を紙等の記録媒体上に印刷する複写機が従来からある。しかし、複写機のスキャナで光学的に読み取った画像中のエッジは、原稿画像のエッジに比べてなだらかになり、このまま記録媒体上に印刷を施すとシャープ感が損なわれた画像になっていた。また、シャープ感を増す目的で読み取り後にエッジ強調処理を実施するとエッジはシャープになるものの、網点を読み取った際に発生するモアレも強調してしまう弊害があった。そこで、像域分離を使った技術が発明されている。例えば、読み取った画像を文字領域と網点領域に分離し、文字領域に対してはエッジ強調処理を施し、網点領域に対しては平滑化処理を施すことでシャープ感の向上とモアレの低減とを両立する技術である。
【０００３】
しかしながら、像域分離において誤判定があると、例えば文字に対して平滑化処理を施すことや、網点に対してエッジ強調を施すことがあり、逆に画像を劣化してしまう。また、像域分離の精度によっては、例えば文字の一部を文字領域と判定し、文字の他の一部を網点領域と判定することがあり、エッジ強調と平滑化の処理の切り換えが発生する。これは画像を著しく劣化していた。そこで、以下の技術が発明されている。
【０００４】
第１の技術はエッジ量に応じて連続的にエッジ強調量を設定する技術である（例えば、特許文献１参照）。第１の技術によってエッジ量に応じた適応的なエッジ強調が可能となり、網点のモアレは強調するものの前記説明した切り換えによる画像劣化を低減する。
【０００５】
また、文字を強調する技術としてはフィルタによるエッジ強調が従来からよく使用されているが、置換を用いる第２の技術も発明されている（例えば、特許文献２参照）。第２の技術によって読み取り時に発生するエッジのなだらかな濃度領域を文字のベタ部または背景部と置換してエッジをシャープにすることができる。
【０００６】
しかしながら、置換によってエッジのなだらかな領域を文字のベタ部または背景部に完全に置換してしまうと、ジャギー（画像の端部が滑らかではなくぎざぎざに見える画像になること）が目立つことがある。ジャギー防止の技術としては以下の技術が発明されている。
【０００７】
第３の技術はスムージングによってジャギーを防止する技術である（例えば、特許文献３参照）。第３の技術ではジャギーが発生しそうな領域を検知して、高解像度化かつ多値化することでジャギーを防止することができる。
【特許文献１】特登録０３０９９３５４
【特許文献２】特登録０２６２０３６８
【特許文献３】特開平１１−１２７３５３
【発明の開示】
【発明が解決しようとする課題】
【０００８】
従来、複写機のスキャナには、主走査方向に読取素子を並べたラインセンサを原稿に対して副走査方向に相対移動させて原稿画像を読み取るスキャナがあり、その中には、主走査方向と副走査方向で読み取り解像度が異なるスキャナが存在する。ここで、主走査方向と副走査方向で読み取り解像度が異なるスキャナとは、ラインセンサの読取素子間隔で決まる主走査方向の解像度とは異なる解像度で副走査方向の相対移動を行い、原稿を読み取ることができるスキャナである。複写機は、主走査方向と副走査方向の解像度が異なるスキャナを用いて、主走査方向の読取解像度より副走査方向の解像度が高解像度となる画像を読み取り、主走査方向の解像度を副走査方向の解像度に変換して出力する。
【０００９】
ここで、上述のスキャナにより読み取られた主走査方向と副走査方向で解像度が異なる画像にエッジ強調処理を行い、主走査方向の解像度を副走査方向の解像度に変換して出力することを考える。この場合、エッジ強調後の画像に対して、低解像度の読み取り方向である主走査方向の解像度を高解像度の読取方向である副走査方向の解像度に変換するため、主走査方向に画素数を増やす変換を行う。この結果、文字や線の端部でエッジ強調により発生しているジャギーが副走査方向に拡大されることで目立ってしまうことがある。
【００１０】
また、例えばレンズ特性によっては、ＭＴＦ（Ｍｏｄｕｌａｔｉｏｎ  Ｔｒａｎｓｆｅｒ  Ｆｕｎｃｔｉｏｎ）が方向によって異なるスキャナにおいても、方向によって異なるボケ・シャープ感である為に、引用文献２の置換によってジャギーが発生する場合もある。
【００１１】
つまり、本願発明が解決する課題は、主走査方向と副走査方向で読み取り解像度が異なる画像に対して、エッジ強調を行い低解像度の読み取り方向を高解像度に変換したときに、ジャギーが目立つことがあるので、これを低減させることである。
【００１２】
本発明は、上記従来技術の課題を解決するためになされたものであり、画像の補正処理をより高精度に行い、画質の向上を図ることを目的とする。
【課題を解決するための手段】
【００１３】
画素の並び方向によって異なる解像度で構成される画像データを補正処理する画像処理装置において、前記異なる解像度に起因する前記画像データの画素の並び方向の特徴量を検知する手段と、前記特徴量を閾値と比較する手段と、前記閾値との比較結果に応じて補正処理の強度を設定する手段とを備え、画素の並び方向による前記特徴量の違いによって前記補正処理の強度が異なるように前記閾値を設定することを特徴とする画像処理装置。
【発明の効果】
【００１４】
画素の並び方向によって異なる解像度で構成される画像データに対して、画素の並び方向の特徴量の違いに着目する。特徴量の違いと補正を実施する画像処理の種類に応じて最適な閾値を設定することにより、画素の並び方向によって補正処理の強度を最適に設定することが可能となる。以上によって、画素の並び方向の解像度の違いによって従来の画像処理が引き起こしていた画像劣化を改善することができる。
【発明を実施するための最良の形態】
【００１５】
（実施例）
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【００１６】
［第１実施形態］
＜ＭＦＰの構成＞
図１は、本発明の実施の形態に係るマルチファンクションプリンタ（以下、ＭＦＰ）１の概観斜視図である。図１（ａ）は、ＭＦＰ１のＡＤＦ（オートドキュメントフィーダ）３１部分を閉じた状態であり、図１（ｂ）は、開いた状態である。
【００１７】
このＭＦＰ１は、基本的に、ホストコンピュータ（ＰＣ）からデータを受信してプリントするプリンタとしての機能及びスキャナとしての機能を有する。さらにＭＦＰ単体で動作する機能として、スキャナで読み取った画像をプリンタで印刷するコピー機能、メモリカードなどの記憶媒体から画像データを読み取って印刷する機能、或いはデジタルカメラからの画像データを受信して印刷する機能を備えている。
【００１８】
図１において、ＭＦＰ１はフラットベットスキャナなどのスキャンユニット１４、インクジェット式や電子写真式などによるプリントユニット１３を備えている。また、表示パネル等のディスプレイユニット１９や各種キースイッチ等を備えるオペレーションユニット１５を備えている。更に、ＭＦＰ１の背面にはＰＣと通信するためのＵＳＢポート（不図示）が設けられ、ＰＣとの通信が行われる。各種メモリカードからデータを読み出すためのカードスロットを含むカードインタフェイス２２やデジタルカメラとデータ通信を行うためのカメラポートを含むカメラインタフェイス２３が設けられている。ＭＦＰ１は、他にも、自動で原稿を原稿台にセットするためのＡＤＦ３１などを備えている。
【００１９】
図２は、ＭＦＰ１の内部構成を示すブロック図である。図２において、ＣＰＵ１１は、ＭＦＰ１が備える様々な機能を制御し、オペレーションユニット１５の所定の操作に従い、ＲＯＭ１６に記憶された画像処理のプログラムを実行する。プログラムを実行することにより、ＣＰＵ１１が処理対象画素を選択したり、処理対象画素を含む予め定められた大きさの画像領域を抽出したりできる。また、ＣＰＵ１１は、画像領域内に含まれる画素の信号値から、画像領域に関する変動量等の特徴量を算出することもできる。ＲＯＭ１６には、画像処理に用いられる様々なテーブルや数式が格納されており、特徴量と補正強度との対応関係を設定する設定手段として機能する。ＣＣＤを備えるスキャンユニット１４は、に対応し、原稿画像を読み取り、赤（Ｒ）、緑（Ｇ）および青（Ｂ）色のアナログ輝度データを出力する。なお、スキャンユニット１４は、ＣＣＤの代わりに密着型イメージセンサ（ＣＩＳ）を備えてもよい。また、ＡＤＦ３１を備えれば、連続でオーダーシートを読み取ることができ更に簡便である。
【００２０】
また、カードインタフェイス２２は、例えばディジタルスチルカメラ（Ｄｉｇｉｔａｌ  Ｓｔｉｌｌ  Ｃａｍｅｒｅ  以下ＤＳＣ）で撮影され、メモリカードなどに記録された画像データを、オペレーションユニット１５に対する操作に従い読み込む。なお、カードインタフェイス２２を介して読み込まれた画像データの色空間は、必要ならば、画像処理部１２により、ＤＳＣの色空間（例えばＹＣｂＣｒ）から標準的なＲＧＢ色空間（例えばＮＴＳＣ−ＲＧＢやｓＲＧＢ）に変換される。また、そのヘッダ情報に基づき、読み込まれた画像データは、有効な画素数への解像度変換など、アプリケーションに必要な様々な処理が必要に応じて施される。また、カメラインタフェイス２３は、ＤＳＣに直接接続して画像データを読み込むためのものである。
【００２１】
画像処理部１２においては、読み取り信号値の変換、画像の補正・加工処理、輝度信号（ＲＧＢ）から濃度信号（ＣＭＹＫ）への変換、スケーリング、ガンマ変換、誤差拡散等の画像処理等の画像処理が行われる。画像処理部１２が行う補正処理としては、置換処理、無彩色化処理、フィルタ処理などが含まれ、補正手段として機能する。画像処理部１２での画像処理によって得られるデータは、ＲＡＭ１７に格納される。ＲＡＭ１７に格納された補正データが所定量に達すると、プリントユニット１３による記録動作が実行される。
【００２２】
不揮発性ＲＡＭ１８としては、バッテリバックアップされたＳＲＡＭなどを用いることができ、ＭＦＰ１に固有のデータなどを記憶する。オペレーションユニット１５は、記憶媒体に記憶された画像データを選択し、記録をスタートするためのフォトダイレクトプリントスタートキーを備え、オーダーシートをプリントさせるキー、オーダーシートを読み込ますキー等を備える。また、モノクロコピー時やカラーコピー時におけるコピースタートキー、コピー解像度や画質などのモードを指定するモードキー、コピー動作などを停止するためのストップキー、並びに、コピー数を入力するテンキーや登録キーなどを備えてもよい。ＣＰＵ１１は、これらキーの押下状態を検出し、その状態に応じて各部を制御する。
【００２３】
ディスプレイユニット１９は、ドットマトリクスタイプの液晶表示部（ＬＣＤ）およびＬＣＤドライバを備え、ＣＰＵ１１の制御に基づき各種表示を行う。また、記憶媒体に記録されていた画像データのサムネイルを表示する。プリントユニット１３は、インクジェット方式のインクジェットヘッド、汎用ＩＣなどによって構成され、ＣＰＵ１１の制御により、ＲＡＭ１７に格納されている記録データを読み出し、ハードコピーとしてプリント出力する。
【００２４】
ドライブユニット２１は、スキャンユニット１４およびプリントユニット１３を動作させるため、給排紙ローラを駆動するステッピングモータ、ステッピングモータの駆動力を伝達するギヤ、および、ステッピングモータを制御するドライバ回路などを含む。
【００２５】
センサユニット２０は、記録紙幅センサ、記録紙有無センサ、原稿幅センサ、原稿有無センサおよび記録媒体検知センサなどを含む。ＣＰＵ１１は、このセンサユニット２０から得られる情報に基づき、原稿および記録紙の状態を検知する。
【００２６】
ＰＣインタフェイス２４はＰＣとのインタフェイスであり、ＭＦＰ１はＰＣインタフェイス２４を介してＰＣからのプリント、スキャンなどの動作を行う。コピー動作時は、スキャンユニット１４で読み取った画像データをＭＦＰ内部でデータ処理し、プリントユニット１３で印刷する。
【００２７】
オペレーションユニット１５により、コピー動作が指示されると、スキャンユニット１４は原稿台に置かれた原稿を読み取る。読み取られたデータは画像処理部１２に送られ、画像処理が施された後、プリントユニット１３に送られ印刷が行われる。
【００２８】
＜画像処理＞
図３はコピー時に実行される画像処理のフローチャートである。以下、各ステップについて説明を記述する。スキャンユニット１４で読み取られ、ＡＤ変換された画像データに対し、撮像素子のばらつきを補正するために、ＳＴＥＰ３０１において、シェーディング補正が施される。
【００２９】
その後、ＳＴＥＰ３０２で、入力デバイス変換が行われる。これによりデバイス固有であった信号データが標準的な色空間領域へと変換される。標準的な色空間領域としては、ＩＥＣ（国際電気標準会議；Ｉｎｔｅｒｎａｔｉｏｎａｌ  Ｅｌｅｃｔｒｏｔｅｃｈｎｉｃａｌ  Ｃｏｍｍｉｓｓｉｏｎ）により定められたｓＲＧＢがある。また、Ａｄｏｂｅ  Ｓｙｓｔｅｍｓ社により提唱されているＡｄｏｂｅＲＧＢでもよい。変換方法は、３ｘ３や３ｘ９のマトリクスによる演算方式や、変換規則を記載したテーブルに基づいて決定するルックアップテーブル方式などが挙げられる。
【００３０】
変換されたデータは、ＳＴＥＰ３０３において、補正（加工）の処理が施される。処理内容としては、読み取りによるボケを補正するエッジ強調処理や、文字の判読性を向上させる文字加工処理、光照射による読み取りで発生した裏写りを除去する処理などが挙げられる。  ＳＴＥＰ３０４では、拡大縮小処理が実行され、ユーザにより変倍指定がされている場合や、２枚の原稿を一枚の紙に割り当てる割付けコピーなどで、所望の倍率に変換される。変換方法は、バイキュービック、バイリニア、ニアレストネイバーなどの方法が一般的である。
【００３１】
ＳＴＥＰ３０５では、標準色な色空間上のデータを、出力デバイスに固有の信号データへと変換する。本実施の形態に係るＭＦＰは、インクジェット方式であり、シアン、マゼンタ、イエロー、ブラックなどのインク色データへの変換処理が実行される。この変換もＳＴＥＰ３０２と同様の方式を用いればよい。
【００３２】
さらに、ＳＴＥＰ３０６において、記録可能なレベル数への変換が行われる。例えば、インクドットを打つ／打たないの２値で表現する場合あれば、誤差拡散などの量子化方法において、２値化すればよい。これによりプリンタが記録可能なデータ形式となり、それに基づいて記録動作が実行され、画像が形成される。
【００３３】
＜処理単位＞
図４（ａ）は補正処理を実施する際の処理単位を説明する図である。図４（ａ）の○印の画素を注目画素（処理の対象となる画素）とすると、図４（ａ）の太線のように注目画素を含む７×７画素で構成される領域（７×７領域）を設定する。この設定した７×７領域内の画像信号を用いて注目画素に対する画像処理を実行する。注目画素の処理が実行された後は、例えば図４（ｂ）の×印の画素のように注目画素に隣接する画素を次の注目画素と設定し、同様に７×７領域を設定して画像処理を実行する。以降、同様に順次注目画素を１画素ずつ移動し、その都度７×７領域を設定することによって対象の画素全てを補正する。
【００３４】
次に処理単位が領域単位の場合を説明する。図４（ａ）の○印の画素に対して７×７領域を設定し、○印に対して設定する補正強度を７×７領域内の複数画素、例えば全画素に適用する。次の処理は図４（ｃ）の△印の画素に対して７×７領域を設定することで○印に対する７×７領域と△印に対する７×７領域とが隣接するように処理単位を移動する。  ただし、処理単位を画素単位とした方がより高い精度で補正強度を設定できる為、本実施の形態は、処理単位を画素単位として説明する。
【００３５】
図５は処理単位の移動フローを説明する図である。ＳＴＥＰ５０１は処理対象設定である。ＳＴＡＲＴ直後は、最初の処理対象を設定する。ＳＴＥＰ５０５からＳＴＥＰ５０１に戻った場合は、次の処理対象を設定する。
【００３６】
ＳＴＥＰ５０２は処理領域設定である。処理領域とは前記説明したように処理単位を含む複数画素（前記説明では７×７領域）で構成される領域である。
ＳＴＥＰ５０３は補正強度設定である。処理単位に対する補正強度を設定する。
ＳＴＥＰ５０４は補正実行である。ＳＴＥＰ５０３で設定した補正強度を使って処理単位を補正する。
ＳＴＥＰ５０５は最終補正対象判定である。処理単位が最後の処理単位であるか否かを判定する。最後の処理単位でなければ（ＮＯ）ＳＴＥＰ５０１に戻る。最後の処理単位であれば（ＹＥＳ）ＥＮＤとなる。
【００３７】
＜言葉の定義＞
以下に、本明細書中で用いられる言葉の定義について説明する。
【００３８】
変動量とは、処理対象画素を中心とする周辺画素群における、画素信号値の変動の大きさを表わす値である。本実施形態では、１画素の両側に隣接する２画素の輝度値の差分の絶対値（エッジ量）のうち、最大のものを変動量として説明するが、これに限定されるものではない。注目する画素の画像信号に関連する値の１次微分の絶対値等、変化の差分（大きさ）を表現する値、または注目する領域内の画像信号に関連する値の変化の差分（大きさ）を代表して表現する値であってもよい。
【００３９】
変動回数とは、処理対象画素を中心とする周辺画素群における、画素信号値の変動の頻度を表わす値である。本実施形態では、画像領域内の１画素の両側に隣接する２画素の輝度値の差分を−、０、＋で３値化し、３値化データの増減頻度（符号変化数（ゼロ交差点数））を変動回数として説明するが、これに限定されるものではない。画像領域内の画像信号に関連する値の１次微分の零交差点数や空間周波数、２値化後の黒白の変化数等、画像信号に関連する値の変化の頻度を表現する値であると定義する。
【００４０】
変動加速度とは、処理対象画素を中心とする周辺画素群における、画素信号値の変動の加速度を表わす値である。以下の実施の形態では画像領域内の輝度の差分からさらに差をとった値として説明するが、これに限定されるものではない。注目する領域内の画像信号に関連する値の２次微分等、変化の加速度を表現する値であればよい。
【００４１】
彩度とは、以下の実施の形態では注目する画素または領域における各色の画像信号差の内、最大絶対値として説明するが、これに限定されるものではない。輝度軸からの距離を表現する値であると定義する。
【００４２】
適応的に補正強度を設定するとは、定義した変動回数、変動量、変動加速度、彩度の夫々取り得る値領域の内、夫々少なくとも一部の値領域において、夫々の値毎に異なる補正強度を設定することであると定義する。
【００４３】
第１実施形態では、スキャンユニット１４がＣＩＳであり、読み取り解像度が主走査方向３００ｄｐｉ、副走査方向６００ｄｐｉであり、補正処理が置換処理である例を説明する。
【００４４】
＜ＣＩＳスキャナ＞
図６は３光源を順次点灯しＣＩＳを使って１パス読み取りを説明する図である。ＣＩＳのスキャンユニット１４は、図６（ａ）に示すようにＲ、Ｇ、Ｂの３つＬＥＤと１つの撮像素子で構成されている。図６（ｂ）に示すように読み取り時はＲ、Ｇ、ＢのＬＥＤを順次点灯する（図６では白背景・黒文字ＬＥＤが点灯、黒背景・白文字ＬＥＤが消灯を示している）。このときＣＩＳは副走査方向に移動する。つまり、原稿に対してＲ、Ｇ、Ｂの読み取り位置が原理的に違うことになる。よって、エッジを読み取った際、副走査方向に色ずれが発生することになる。
【００４５】
＜読み取り解像度＞
図７は主走査方向を３００ｄｐｉ、副走査方向を６００ｄｐｉで読み取る動作を説明する図である。図７（ａ）に示すようにＣＩＳは本実施例では主走査方向に１２００ｄｐｉピッチで撮像素子が並んでいる。図７（ａ）のＣＩＳを図７（ｂ）に示すように副走査方向に６００ｄｐｉの移動距離中ＬＥＤを点灯して電荷を蓄積する。一方、主走査方向は図７（ｃ）に太線で示すように主走査方向の４画素分を電荷加算して１画素とする。以上によって、主走査方向を３００ｄｐｉ、副走査方向を６００ｄｐｉで読み取る。以上説明した読み取りモード（３００ｘ６００モード）とは異なり、主走査方向と副走査方向共に６００ｄｐｉで読み取るモード（６００ｘ６００モード）の方が画質は良い。しかしながら、６００ｘ６００モードよりも高速な読み取りを求める場合（例えば高速なコピー動作モードの場合）、蓄積時間が短くなることからＳ／Ｎ比が悪化する。そこで、図７（ｃ）に示したように主走査方向に複数画素を電荷加算することでＳ／Ｎ比を向上している。結果として、主走査方向と副走査方向で異なる解像度となる。主走査方向と副走査方向で異なる解像度になる条件は他にもあり、本実施例で挙げる主走査方向解像度＜副走査方向解像度は一例に過ぎない。
【００４６】
＜置換処理＞
第１実施形態では、補正処理として置換処理を例にして説明する。
【００４７】
図６は第１実施形態における補正強度設定のフローチャートを示しており、フローチャートのステップに沿って補正強度設定を説明する。
【００４８】
（補正強度設定ＳＴＥＰ８０１：処理領域設定）
ＲＧＢの多値の画像信号で構成される画像データにおいて、注目画素を中心とした横７画素、縦７画素で構成される７×７領域の処理領域を設定し、処理領域の各画素値から式（１）に従って輝度Ｌを算出し、Ｌの７×７領域の処理領域を生成する。
【００４９】
Ｌ＝（Ｒ＋２×Ｇ＋Ｂ）／４      ・・・式（１）
尚、本実施の形態は、式（１）で算出した輝度Ｌを用いているが、別の輝度を適用してもよい。例えば、均等色空間Ｌ＊ａ＊ｂ＊のＬ＊を輝度としてもよく、ＹＣｂＣｒのＹを輝度としてもよい。図９（ａ１）は白背景中の黒縦線（４本／ｍｍ）を主走査方向に読み取った際のＬを示している。図９（ａ２）は白背景中の黒横線（４本／ｍｍ）を副走査方向に読み取った際のＬを示している。
【００５０】
（補正強度設定ＳＴＥＰ８０２：４方向抽出）
ＳＴＥＰ８０１で生成したＬの処理領域から図１０に示すように横１方向、縦１方向、斜２方向の合計４方向の各７画素を抽出する。
【００５１】
（補正強度設定ＳＴＥＰ８０３：Ｌ差分算出）
ＳＴＥＰ８０２で抽出した４方向のＬから各方向５画素のＬの差分Ｇｒｄを図１１と式（２）に示すように算出する。ここで、画素Ｌ（ｉ）の前画素をＬ（ｉ−１）と後画素をＬ（ｉ＋１）とする。
【００５２】
Ｇｒｄ（ｉ）＝Ｌ（ｉ＋１）−Ｌ（ｉ−１）      ・・・式（２）
尚、Ｌ差分の算出方法はこれに限らず、隣接同士の差分でもよく、前記説明した前後画素より更に離れた画素同士の差分でもよい。図９（ｂ１）と図９（ｂ２）は夫々図９（ａ１）と図９（ａ２）のＬに対して式（２）を適用して求めたＧｒｄを示している。
【００５３】
（補正強度設定ＳＴＥＰ８０４：エッジ方向判定）
ＳＴＥＰ８０３で算出した４方向のＧｒｄにおいて、注目画素の４方向のＧｒｄ絶対値を求める。４方向のＧｒｄ絶対値の内、最大のＧｒｄ絶対値である方向を注目画素のエッジ方向と判定する。
【００５４】
（補正強度設定ＳＴＥＰ８０５：変動量算出）
ＳＴＥＰ８０４で判定したエッジ方向に並ぶ７つの画素のうち、５画素についてＳＴＥＰ８０３でＧｒｄを算出できる。その５画素のＧｒｄを比較し、その最大絶対値を注目画素の変動量（エッジ量）として算出する。図９（ｂ１）と（ｂ２）に示すように主走査方向は副走査方向に比べて変動量が小さい。これは主走査方向解像度がより低解像である為に平滑化効果が高いことが原因である。
【００５５】
（補正強度設定ＳＴＥＰ８０６：変動回数算出）
ＳＴＥＰ８０３で算出した４方向のＧｒｄから４方向合計の変動回数を算出する。本実施例ではＧｒｄの符号が＋から−又は−から＋に変化する回数、Ｇｒｄの符号が＋から０そして次の画素で−又は−から０そして次の画素で＋に変化する回数を注目画素の変動回数（零交差点数）として算出する。
【００５６】
（補正強度設定ＳＴＥＰ８０７：最大最小輝度位置判定）
ＳＴＥＰ８０４で判定したエッジ方向について、ＳＴＥＰ８０２で抽出した４方向の内、エッジ方向のＬの７画素から最大Ｌと最小Ｌの画素位置を判定する。
【００５７】
（補正強度設定ＳＴＥＰ８０８：変動加速度算出）
ＳＴＥＰ８０４で判定したエッジ方向について、ＳＴＥＰ８０３で算出したエッジ方向のＧｒｄから３画素の変動加速度Ｌａｐを算出する。変動加速度の算出方法は式（１５）である。但し、画素Ｇｒｄ（ｉ）の前画素をＧｒｄ（ｉ−１）と後画素Ｇｒｄ（ｉ＋１）とする。図９（ｃ１）と図９（ｃ２）は夫々図９（ｂ１）と図９（ｂ２）のＧｒｄに対して式（３）を適用して求めたＬａｐを示している。
【００５８】
Ｌａｐ（ｉ）＝Ｇｒｄ（ｉ＋１）−Ｇｒｄ（ｉ−１）      ・・・式（３）
尚、変動加速度の算出方法はこれに限らず、Ｇｒｄの隣接同士の差分でもよい。
【００５９】
（補正強度設定ＳＴＥＰ８０９：置換画素位置判定）
ＳＴＥＰ８０７で判定した最大Ｌと最小Ｌの画素位置と、ＳＴＥＰ８０８で算出した変動加速度Ｌａｐから置換画素位置を判定する。図９（ｃ１）と（ｃ２）のようにＬａｐの符号が＋の場合は注目画素のＬは最大Ｌよりも最小Ｌに値の大きさが近く、Ｌａｐの符号が−の場合は注目画素のＬは最小Ｌよりも最大Ｌに値の大きさが近い傾向がある。そこで、表１に示すようにＬａｐの符号に対して置換画素位置を判定し、置換すれば図９（ａ１）と図９（ａ２）の置換前に対して、夫々図９（ｄ１）と図（ｄ２）を実現することができる。本実施例では表１のように置換画素位置を判定するが、注目画素のＬａｐが０となるエッジ中心の扱いについては表１に限るものではなく、注目画素のＬａｐが０であれば、最大Ｌの画素位置にしてもよいし、また逆に最小Ｌの画素位置にしてもよい。
【００６０】
【表１】
2008017291.tif 000003
【００６１】
（補正強度設定ＳＴＥＰ８１０：変動量に基づく置換強度設定）
ＳＴＥＰ８０９で決定した置換画素値を使って注目画素値を完全に置換すると図９（ａ１）と図９（ａ２）に対して夫々図９（ｄ１）と図（ｄ２）を得ることができ、シャープ感を増すことができる。しかしながら、ジャギーが目立つ場合がある。また、本実施例の主走査方向のように低解像度の場合、高解像度に対してジャギーはより顕著になる可能性が高い。そこで、本実施例ではジャギーを抑えつつ、エッジを強調できる置換例を説明する。
【００６２】
図９（ｂ１）と（ｂ２）に示すように高解像度である副走査方向は低解像度である主走査方向に対して、変動量が大きい。この点に着目し、次に説明するように副走査方向の場合に置換強度Ｃｅが主走査方向に対して大きくなるように閾値を設定する。
【００６３】
図１３（ａ）はＳＴＥＰ８１０におけるＣｅ設定を説明する図であり、横軸は変動量、縦軸はＣｅを示している。第１閾値は少なくとも副走査方向の変動量以下を設定し、第２閾値は少なくとも主走査方向の変動量以上を設定する。第１閾値より小さい変動量の場合は、Ｃｅを０に設定する。第２閾値より大きい変動量の場合は、完全置換する為にＣｅを１に設定する。第１閾値以上且つ第２閾値以下の変動量の場合は、変動量＝第１閾値のときＣｅ＝０、変動量＝第２閾値のときＣｅ＝１となるように変度量毎に漸次変化するＣｅを適応的に設定する。具体的には図１３（ａ）の参照や以下の式（４）によって適応的に設定できる。
【００６４】
Ｃｅ＝（変動量−第１閾値）／（第２閾値−第１閾値）  ・・・式（４）
以上の設定により副走査方向の置換強度は主走査方向の置換強度以上の強度を設定することができる。ジャギーが顕著になる可能性がより高い主走査方向の置換強度を抑え、ジャギー発生を低減することが可能となる。また、主走査方向は解像度が低い為、モアレ発生の可能性が高くなる。第１閾値は少なくとも副走査方向の変動量以下を設定し、第２閾値は少なくとも主走査方向の変動量以上を設定することは、モアレ増加を抑える点でも効果的な閾値設定である。
【００６５】
ここで、背景技術で挙げた特許文献１との差異を説明する。特許文献１の目的と効果は、ノイズを強調せず、エッジ強調に不連続性（切り換え）がないようにすることである。よって、特許文献１の開示範囲内では、本発明が目的と効果としている副走査方向の置換強度が主走査方向の置換強度以上になるとは限らない。本実施例で上記説明した、第１閾値は少なくとも副走査方向の変動量以下を設定し、第２閾値は少なくとも主走査方向の変動量以上を設定することは、高解像度である副走査方向の変動量が低解像度である主走査方向の変動量より小さいことに着目して可能となる本発明の新たな特徴である。
【００６６】
また、ここで置換による色ずれ低減効果について説明する。図１２（ａ）は置換前のＬ値、図１２（ｂ）は図１２（ａ）のＬａｐ値、図１２（ｃ）は置換後のＬ値を示している。色ずれはエッジ付近に発生しやすく、図１２（ａ）の７画素付近に現れる可能性が高い。置換を実施すると、図１２（ａ）の６画素目は３画素目、図１２（ａ）の７画素目は４画素目、図１２（ａ）の８画素目は１１画素目に置換され、図１２（ｃ）となる。置換前に色ずれの可能性が高い画素が、背景や黒文字内部のより色ずれの少ない画素と置換されることにより、色ずれ低減効果が発揮される。置換処理は、シャープ感を増す効果と色ずれを低減する効果があり、本実施例のＣＩＳに有効な処理である。
【００６７】
尚、閾値の設定タイミングは、実験的に決定した値を予め設定しておいてもよく、プレスキャンまたは本スキャンで読み取った画像から決定した値を適宜設定してもよい。
【００６８】
（補正強度設定ＳＴＥＰ８１１：変動加速度絶対値に基づく置換強度設定）
ＳＴＥＰ８０８で算出した変動加速度の絶対値に応じて適応的に置換強度Ｃｌを設定する。図９（ｃ１）と（ｃ２）に示すように高解像度である副走査方向は低解像度である主走査方向に対して、変動加速度絶対値が大きい。この点に着目し、次に説明するように副走査方向の場合に置換強度Ｃｌが主走査方向に対して大きくなるように閾値を設定する。
【００６９】
図１３（ｂ）はＳＴＥＰ８１１におけるＣｌ設定を説明する図であり、横軸は変動加速度絶対値、縦軸はＣｌを示している。第３閾値は少なくとも副走査方向の変動加速度絶対値以下を設定し、第４閾値は少なくとも主走査方向の変動加速度絶対値以上を設定する。第３閾値より小さい変動加速度絶対値の場合は、Ｃｌを０に設定する。第４閾値より大きい変動加速度絶対値の場合は、完全置換する為にＣｌを１に設定する。第３閾値以上且つ第４閾値以下の変動加速度絶対値の場合は、変動加速度絶対値＝第３閾値のときＣｌ＝０、変動加速度絶対値＝第４閾値のときＣｌ＝１となるように変動加速度絶対値毎に漸次変化するＣｌを適応的に設定する。具体的には図１３（ｂ）の参照や以下の式（５）によって適応的に設定できる。
【００７０】
Ｃｌ＝（変動加速度絶対値−第３閾値）／（第４閾値−第３閾値）・・・式（５）
以上の設定により副走査方向の置換強度は主走査方向の置換強度以上の強度を設定することができる。ジャギーが顕著になる可能性がより高い主走査方向の置換強度を抑え、ジャギー発生を低減することが可能となる。また、置換による主走査方向のモアレ増加を抑え、副走査方向のシャープ感を増すことができる。
【００７１】
（補正強度設定ＳＴＥＰ８１２：変動回数に基づく置換強度設定）
ＳＴＥＰ８０６で算出した変動回数に応じて適応的に置換強度Ｃｚを設定する。第５閾値と第６閾値を使い、図１３（ｃ）の特性でＣｚを適応的に設定する。変動回数が第５閾値より小さい太線の場合はＣｚ＝１、第６閾値より大きい細線や網点の場合はＣｚ＝０、第５閾値以上且つ第６閾値以下の場合は式（６）によって適応的に設定できる。
【００７２】
Ｃｚ＝（第６閾値−変動回数）／（第６閾値−第５閾値）・・・式（６）
以上の設定によりよりジャギー発生の可能性が高い細線への強調とモアレ発生の可能性が高い網点への強調を抑え、太線は強い強調をすることができる。
【００７３】
（補正処理ＳＴＥＰ８１３：置換量算出）
ＳＴＥＰ８０９で判定した置換画素位置の画素値を用いて置換量を算出する。ＳＴＥＰ８０１で設定したＲＧＢの７×７領域からＳＴＥＰ８０９で判定した置換画素位置のＲＧＢ値を抽出する。注目画素値をＮ０とし、置換画素位置の画素値をＣ０とし、置換量を△Ｃとすると、△Ｃは式（７）を使って算出できる。
【００７４】
△Ｃ＝Ｃ０−Ｎ０      ・・・式（７）
（補正処理ＳＴＥＰ８１４：置換量補正）
ＳＴＥＰ８１３で算出した置換量△ＣをＳＴＥＰ８１０〜８１２で設定した置換強度Ｃｅ、Ｃｌ、Ｃｚで補正する。補正した置換量△Ｃ’は式（８）を使って算出する。
【００７５】
△Ｃ’＝Ｃｅ×Ｃｌ×Ｃｚ×△Ｃ      ・・・式（８）
（補正処理ＳＴＥＰ８１５：置換処理完了）
ＳＴＥＰ８１４で算出した置換量△Ｃ’を式（９）に示すように注目画素値Ｎ０に加算することによって、置換によるエッジ強調した注目画素値Ｎｃを算出する。
【００７６】
Ｎｃ＝Ｎ０＋△Ｃ’      ・・・式（９）
以上説明した置換処理によって、主走査方向には副走査方向よりも弱い強度で置換を実施することができる。ジャギーが顕著になる可能性がより高い主走査方向の置換強度を抑え、ジャギー発生を低減する効果がある。また、解像度が低い主走査方向に発生しやすいモアレの強調を抑え、副走査方向のシャープ感を増す効果がある。
【００７７】
尚、本実施例では輝度Ｌに関する特徴量を使っているが、輝度Ｌに限らずＲＧＢの各画素値に関する特徴量であってもよい。また、本実施例では方向によって異なる解像度を例に説明をしたが、方向によって異なるＭＴＦ、ボケ、シャープネス等に起因する特徴量の違いに着目して、置換強度等の補正強度を変更することも本発明の特徴である。
【００７８】
［第２実施形態］
第１実施形態では、方向によって異なる解像度に起因する特徴量を使って、置換強度を変える例を説明した。処理は置換のみに限定されることなく、他の処理においても同様に本発明の効果がある為、第２実施形態ではフィルタ処理を例に説明する。
【００７９】
注目画素を中心に図１４（ａ）に示す５×５フィルタを適用する。注目画素値をＮ０、フィルタ後の注目画素値をＦ０とすると、フィルタによるエッジ強調量△Ｆは式（１０）を使って算出できる。
【００８０】
△Ｆ＝Ｆ０−Ｎ０      ・・・式（１０）
図１４（ｂ）はフィルタ強度Ｆｅの設定を説明する図である。第７閾値は少なくとも副走査方向の変動量以下を設定し、第８閾値は少なくとも主走査方向の変動量以上を設定する。第７閾値と第８閾値は夫々第１閾値と第２閾値と異なる値でもよく、補正処理の種類によって適宜設定すればよい。第７閾値より小さい変動量の場合は、Ｆｅを０に設定する。第８閾値より大きい変動量の場合は、完全置換する為にＦｅを１に設定する。第７閾値以上且つ第８閾値以下の変動量の場合は、変動量＝第７閾値のときＦｅ＝０、変動量＝第８閾値のときＦｅ＝１となるように変度量毎に漸次変化するＦｅを適応的に設定する。具体的には図１４（ｂ）の参照や以下の式（１１）によって適応的に設定できる。
【００８１】
Ｆｅ＝（変動量−第７閾値）／（第８閾値−第７閾値）・・・式（１１）
式（１２）を使って補正したフィルタ強調量△Ｆ’を算出する。
【００８２】
△Ｆ’＝Ｆｅ×△Ｆ      ・・・式（１２）
式（１３）を使ってフィルタによってエッジ強調した注目画素値Ｎｆを算出する。
【００８３】
Ｎｆ＝Ｎ０＋△Ｆ’      ・・・式（１３）
以上の設定により副走査方向のフィルタ強度は主走査方向のフィルタ強度以上の強度を設定することができる。フィルタ強度が強いとジャギーの可能性が高くなるが、ジャギーが顕著になる可能性がより高い主走査方向のフィルタ強度を抑え、ジャギー発生を低減することが可能となる。また、主走査方向は解像度が低い為、モアレ発生の可能性が高くなる。第７閾値は少なくとも副走査方向の変動量以下を設定し、第８閾値は少なくとも主走査方向の変動量以上を設定することは、フィルタによるモアレ増加を抑える点でも効果的な閾値設定である。
【００８４】
尚、フィルタサイズ及び係数は本実施例に限ったものではなく、別のサイズ及び係数であってもよい。また、フィルタ強度の変更は本実施例に限ったものではなく、変動量によってフィルタ係数を変更するものであってもよい。
【００８５】
［第３実施形態］
第１実施形態と第２実施形態では、方向によって異なる解像度に起因する特徴量を使って、置換強度とフィルタ強度を変える例を説明した。文字加工では、これらの処理に加え、無彩色化処理を実施することがよくある。第３実施形態では無彩色化処理を例に本発明の効果を説明する。
【００８６】
図１５（ａ）に示すように注目画素を中心とする３×３領域の各色平均値を算出する。読み取った画素値Ｒ、Ｇ、Ｂそれぞれの平均値をＡＲ、ＡＧ、ＡＢとし、｜ＡＲ−ＡＧ｜、｜ＡＧ−ＡＢ｜、｜ＡＢ−ＡＲ｜の内、最大の値を彩度として算出する。尚、彩度算出はこれに限ったものではない。ここでは３×３領域の平均から求めたが、別のサイズの領域から求めてもよい。また、色空間をＲＧＢで求めたが、ブロックを輝度色差空間に変換して色差成分を使って輝度軸からの距離として求めてもよい。
【００８７】
彩度と適宜設定する閾値とを比較して注目画素が無彩色であるか否かを判定する。彩度が設定閾値以下で無彩色と判定された場合、注目画素値をＮ０、注目画素のグリーン（Ｇ）の値をＮｇとして、無彩色化量△Ｋを式（１４）を使って算出する。
【００８８】
△Ｋ＝Ｎｇ−Ｎ０      ・・・（式１４）
図１５（ｂ）は無彩色化強度Ｋｅの設定を説明する図である。第９閾値は少なくとも副走査方向の変動量以下を設定し、第１０閾値は少なくとも主走査方向の変動量以上を設定する。第９閾値と第１０閾値は夫々第１閾値と第２閾値と異なる値でもよく、補正処理の種類によって適宜設定すればよい。第９閾値より小さい変動量の場合は、Ｋｅを０に設定する。第１０閾値より大きい変動量の場合は、完全置換する為にＫｅを１に設定する。第９閾値以上且つ第１０閾値以下の変動量の場合は、変動量＝第９閾値のときＫｅ＝０、変動量＝第１０閾値のときＫｅ＝１となるように変度量毎に漸次変化するＫｅを適応的に設定する。具体的には図１５（ｂ）の参照や以下の式（１５）によって適応的に設定できる。
【００８９】
Ｋｅ＝（変動量−第９閾値）／（第１０閾値−第９閾値）・・・式（１５）
式（１６）を使って補正した無彩色化量△Ｋ’を算出する。
【００９０】
△Ｋ’＝Ｋｅ×△Ｋ      ・・・式（１６）
式（１７）を使って無彩色化した注目画素値Ｎｋを算出する。
【００９１】
Ｎｋ＝Ｎ０＋△Ｋ’      ・・・式（１７）
以上の設定により副走査方向の無彩色化強度は主走査方向の無彩色化強度以上の強度を設定することができる。強度の強い無彩色化処理がなされた結果、ＲとＧとＢの値が全て０である場合や全て同じ値である場合に、プリンタによっては顔料インクのみを使用することがある。顔料インクは染料インクと比較して記録媒体上での滲みが少なく、エッジがシャープになる傾向がある。その為、ジャギーの可能性が高くなるが、本発明によってジャギーが顕著になる可能性がより高い主走査方向の無彩色化強度を抑え、ジャギー発生を低減することが可能となる。また、主走査方向は解像度が低い為、モアレ発生の可能性が高くなる。第９閾値は少なくとも副走査方向の変動量以下を設定し、第１０閾値は少なくとも主走査方向の変動量以上を設定することは、無彩色化で黒顔料付与量が増えて濃度アップによってモアレ強調される現象を抑える点でも効果的な閾値設定である。
【００９２】
［その他の実施形態］
第１、第２、第３実施形態では、スキャンユニット１４の読み取り解像度が主走査方向と副走査方向で異なる場合に、特徴量の違いに最適な閾値を設定することで補正強度を設定することを説明した。その他の実施形態として、本発明が読み取り解像度以外に対しても効果がある例を説明する。
【００９３】
圧縮ファイル形式として広く使われているＪＰＥＧ（Ｊｏｉｎｔ  Ｐｈｏｔｏｇｒａｐｈｉｃ  Ｅｘｐｅｒｔｓ  Ｇｒｏｕｐ）には、画素データの構成要素と画素サンプリングの組み合わせが複数存在する。その中で、ＹＣｂＣｒ４：２：２（Ｙは輝度、ＣｂとＣｒは色差信号）形式の場合、Ｙのサンプリング数に対してＣｂとＣｒのサンプリング数が横方向において、１／２となるダウンサンプリング（サブサンプリング）が実施される。ダウンサンプリングは横方向に隣接する２画素の色差信号を平均して行われる。Ｙの変化に対してＣｂとＣｒの変化に人間の目が鈍感であるという視覚特性を応用し、ファイルサイズを小さくする目的からダウンサンプリングが行われる。
【００９４】
ＪＰＥＧを解凍すれば、ＣｂとＣｒの画素数はＹと同じになる。しかし、ＣｂとＣｒは横方向に平均化することでダウンさプリングしている為、横方向は縦方向に比べてボケる傾向にある。第１〜第３実施形態において高解像度である副走査方向の変動量が主走査方向より大きいように、ＹＣｂＣｒ４：２：２形式のＪＰＥＧは色差成分において縦方向の変動量が横方向より大きくなる。よって、特徴量の違いを無視して同強度の画像処理を横方向と縦方向に実施すれば、最適な処理結果が得られないことがある。そこで、本発明の特徴である、特徴量の違いに着目し、方向によって補正強度が異なるように閾値を設定することにより、最適な処理結果を得ることが可能となる。
【００９５】
また、ＪＰＥＧには、Ｙに対してＣｂとＣｒが横方向と縦方向に１／２ダウンサンプリングされたＹＣｂＣｒ４：２：０形式がある。この形式の場合は、Ｙに対する補正強度とＣｂ、Ｃｒに対する補正強度が異なるように閾値設定することにより、最適な処理結果を得ることができる。
【００９６】
以上のように本発明は読み取り解像度の違いだけでなく、サンプリング数の違いに対しても効果的である。
【図面の簡単な説明】
【００９７】
【図１】ＭＦＰ装置の説明図
【図２】ＭＦＰ装置の制御説明図
【図３】ＭＦＰ装置の画像処理のフローチャート
【図４】処理単位の説明図
【図５】処理単位の移動のフローチャート
【図６】ＣＩＳの説明図
【図７】読み取り解像度の説明図
【図８】第１実施形態の補正強度設定のフローチャート
【図９】特徴量の説明図
【図１０】４方向抽出の説明図
【図１１】Ｌ差分の説明図
【図１２】置換による画像データの変化の説明図
【図１３】第１実施形態の置換処理の説明図
【図１４】第２実施形態のフィルタ処理の説明図
【図１５】第３実施形態の無彩色化処理の説明図
【符号の説明】
【００９８】
１  ＭＦＰ
１３  プリントユニット
１４  スキャンユニット
１５  オペレーションパネル
１１  ＣＰＵ
１２  画像処理部
【図１】
2008017291.tif 000004
【図２】
2008017291.tif 000005
【図３】
2008017291.tif 000006
【図４】
2008017291.tif 000007
【図５】
2008017291.tif 000008
【図６】
2008017291.tif 000009
【図７】
2008017291.tif 000010
【図８】
2008017291.tif 000011
【図９】
2008017291.tif 000012
【図１０】
2008017291.tif 000013
【図１１】
2008017291.tif 000014
【図１２】
2008017291.tif 000015
【図１３】
2008017291.tif 000016
【図１４】
2008017291.tif 000017
【図１５】
2008017291.tif 000018